(57)【要約】【課題】  暗渠パイプを破損させずに敷設できる暗渠パイプ供給ボックス及び暗渠形成装置を提供する。【解決手段】  暗渠パイプ供給ボックス２２は、暗渠形成装置の掘削部２０の後部に連続して設けられるボックスであって、暗渠パイプ挿入口３２と、暗渠パイプ引出口３４と、パイプ湾曲部３６とを備えるものである。パイプ湾曲部３６は、暗渠パイプ挿入口３２から挿入され暗渠パイプ引出口３４から引き出される暗渠パイプ供給ボックス２２内の暗渠パイプ１４を湾曲させ、暗渠パイプ挿入口３２や暗渠パイプ引出口３４における暗渠パイプ１４の折れ曲がり状態を解消するものである。暗渠パイプ挿入口３２から挿入された暗渠パイプ１４は、パイプ湾曲部３６に接触すると、湾曲する。同時に、暗渠パイプ挿入口３２や暗渠パイプ引出口３４における暗渠パイプ１４の折れ曲がり状態を解消する。これにより、暗渠パイプを破損させずに敷設できる。【選択図】  図２
2020180529.tif 000002
【特許請求の範囲】
【請求項１】
暗渠形成装置の掘削部の後部に連続して設けられる暗渠パイプ供給部を形成するボックスであって、ボックス上面の前部に形成する暗渠パイプ挿入口と、ボックス背面の最下部に形成する暗渠パイプ引出口と、暗渠パイプ挿入口から挿入され暗渠パイプ引出口から引き出されるボックス内の暗渠パイプを湾曲させ、暗渠パイプ挿入口や暗渠パイプ引出口における暗渠パイプの折れ曲がり状態を解消するパイプ湾曲部とを備え、暗渠パイプ引出し口から引き出される暗渠パイプに上方から当接するパイプ敷設部を設けることを特徴とする暗渠パイプ供給ボックス。
【請求項２】
暗渠パイプ挿入口の上方に、暗渠パイプ挿入口に連通する筒状の土除け部を設けることを特徴とする請求項１記載の暗渠パイプ供給ボックス。
【請求項３】
圃場に暗渠パイプを埋設して暗渠を形成するものであり、暗渠パイプと暗渠パイプを圃場中に敷設し埋設する暗渠形成手段を装備し圃場を走行する車輌であって、暗渠形成手段が、圃場を掘削する掘削部と、請求項１又は請求項２に記載の暗渠パイプ供給ボックスと、暗渠パイプ供給ボックスから引き出される暗渠パイプが敷設された掘削溝に疎水材を充填する疎水材供給部から構成することを特徴とする暗渠形成装置。
【発明の詳細な説明】
【技術分野】
【０００１】
本発明は、圃場に暗渠パイプ（吸水管）を埋設する暗渠形成装置に装着する暗渠パイプ供給ボックス及び暗渠形成装置に関するものである。
【背景技術】
【０００２】
水田を乾田化するために暗渠排水が行われている。暗渠の設置には、現在、圃場に暗渠パイプ（吸水管）を埋設する暗渠排水敷設装置が用いられている（例えば、特許文献１）。
【先行技術文献】
【特許文献】
【０００３】
【特許文献１】特開２００４−３２６８号公報
【０００４】
特許文献１の暗渠排水敷設装置は、圃場における地中に暗渠パイプ（吸水管）と暗渠パイプの上部へ疎水材を連続的に埋設する暗渠排水敷設手段を備えるものである。暗渠排水敷設手段は、疎水材の収容ホッパーと、この収容ホッパーの底部へ接続させた土切り部材を備える破砕体と、暗渠パイプの供給手段とを備える。破砕体内には挿嵌路を設けられている。挿嵌路の上部から暗渠パイプを挿入し、挿嵌路の下部の送り出し口から暗渠パイプの先端部を取り出す。暗渠排水敷設装置の走行により、暗渠パイプと疎水材とを埋設するための掘削溝が形成される。また、圃場中に暗渠パイプと疎水材が埋設され、暗渠が形成される。
【発明の概要】
【発明が解決しようとする課題】
【０００５】
破砕体の挿嵌路に挿入され取り出される暗渠パイプは、フレキシブル性を有する合成樹脂等により成形した長尺で口径５０〜６０ｍｍのパイプ状のものである。
しかし、近年、口径７０〜１００ｍｍ又はその口径より大口径の暗渠パイプを用いて暗渠排水を行う場合がある。挿嵌路に口径７０〜１００ｍｍ又はその口径より大口径の暗渠パイプを挿入すると、挿嵌路の挿入口及び引出し口において暗渠パイプが折れ曲がり、折れ曲がった状態で引き出されると、暗渠パイプが裂けることがあった。また、裂けた暗渠パイプが敷設されると、暗渠パイプが上下左右に波打った状態で敷設され、暗渠パイプ内に空気溜まりが形成されることから、暗渠の排水機能が低下するという問題があった。また、漏水の原因となり、暗渠の施工後暗渠パイプの修繕工事が必要となっていた。
【０００６】
本発明は、上記問題を解決するものであって、暗渠パイプ（吸水管）を破損させずに敷設できる暗渠パイプ供給ボックス及び暗渠形成装置を提供するものである。
【課題を解決するための手段】
【０００７】
本発明の暗渠パイプ供給ボックスは、暗渠形成装置の掘削部の後部に連続して設けられる暗渠パイプ供給部を形成するボックスであって、ボックス上面の前部に形成する暗渠パイプ挿入口と、ボックス背面の最下部に形成する暗渠パイプ引出口と、暗渠パイプ挿入口から挿入され暗渠パイプ引出口から引き出されるボックス内の暗渠パイプを湾曲させ、暗渠パイプ挿入口や暗渠パイプ引出口における暗渠パイプの折れ曲がり状態を解消するパイプ湾曲部とを備え、暗渠パイプ引出し口から引き出される暗渠パイプに上方から当接するパイプ敷設部を設けるようにしたものである。
【０００８】
また、暗渠パイプ挿入口の上方に、暗渠パイプ挿入口に連通する筒状の土除け部を設けるようにしたものである。
【０００９】
本発明の暗渠形成装置は、圃場に暗渠パイプを埋設して暗渠を形成するものであり、暗渠パイプと暗渠パイプを圃場中に敷設し埋設する暗渠形成手段を装備し圃場を走行する車輌であって、暗渠形成手段が、圃場を掘削する掘削部と、上記暗渠パイプ供給ボックスと、暗渠パイプ供給ボックスから引き出される暗渠パイプが敷設された掘削溝に疎水材を充填する疎水材供給部から構成するようにしたものである。
【発明の効果】
【００１０】
本発明によると、暗渠パイプ供給ボックスに挿入される暗渠パイプは、ボックス内にて暗渠パイプ挿入口や暗渠パイプ引出し口において折れ曲がることがないため、暗渠パイプが裂けることを防止できる。これにより、暗渠パイプを波打つことなく敷設・埋設させることができるから、排水機能の低下を防止することができる。また、大きい口径の暗渠パイプを用いた排水用暗渠を形成することができる。
【００１１】
また、暗渠パイプ挿入口の上方に暗渠パイプ挿入口に連通する筒状の土除け部を設けることにより、掘削部の進行により地表に盛り上がる土が暗渠パイプ挿入口から入り込むことを防止できることから、暗渠パイプを波打つことなく敷設・埋設させることができ、排水機能の低下を確実に防止することができる。
【図面の簡単な説明】
【００１２】
【図１】本発明の暗渠形成装置の概略図である。
【図２】本発明の暗渠パイプ供給ボックスの構造を表わす図である。
【図３】図２の暗渠パイプ供給ボックスの比較例を表わす図である。
【図４】図２の暗渠パイプ供給ボックスの平面図とＡ−Ａ断面図である。
【発明を実施するための形態】
【００１３】
本発明は、大口径の暗渠パイプを用いた暗渠排水を実現するものである。
【実施例】
【００１４】
本発明の暗渠パイプ供給ボックス及び暗渠形成装置を図に基づいて説明する。図1は、本発明の暗渠形成装置の概略図である。図２は、本発明の暗渠パイプ供給ボックスの構造を表わす図である。図３は、図２の暗渠パイプ供給ボックスの比較例を表わす図である。図４（ａ）は図２の平面図であり、図４（ｂ）は図２のＡ−Ａ断面図である。
図１の暗渠形成装置１０は、圃場１２に暗渠パイプ１４（吸水管）を埋設して暗渠１６を形成するものであり、暗渠パイプ１４と、暗渠パイプ１４を圃場１２中に敷設し埋設する暗渠形成手段１８を装備し圃場１２を走行する車輌である。暗渠形成手段１８は、圃場１２を掘削する掘削部２０と、掘削部２０の後部に連続して設けられる暗渠パイプ供給部２２と、暗渠パイプ供給部２２から引き出される暗渠パイプ１４が敷設された掘削溝２４（暗渠孔）に疎水材２６を充填する疎水材供給部２８から構成するようにしたものである。
掘削部２０は、掘削部材２０ａと弾丸状の暗渠穿孔体２０ｂとからなる。暗渠形成装置１０が走行すると、掘削部２０により圃場１２に掘削溝２４が形成される。
暗渠パイプ供給部２２は、暗渠形成装置１０に装備されている暗渠パイプ１４を掘削溝２４に敷設するものである。
疎水材供給部２８は、掘削溝２４に疎水材２６を充填するもので、疎水材２６の充填により掘削溝２４に敷設された暗渠パイプ１４は埋設される（図１）。疎水材２６は、掘削溝２４に表土３０直下まで充填されるようになっている（図１）。
暗渠パイプ１４（吸水管）は、多数の通水孔が形成される地中管である。例えば、樹脂製コルゲート管などである。
【００１５】
暗渠形成装置１０において、暗渠パイプ供給部２２を形成する暗渠パイプ供給ボックスを備える（図２）。図２の暗渠パイプ供給ボックス２２は、暗渠形成装置１０の掘削部２０の後部に連続して設けられるボックスであって（図４（ａ））、暗渠パイプ１４を掘削溝２４に供給する直方体状の筐体のものである。
また、暗渠パイプ供給ボックス２２は、暗渠パイプ挿入口３２と、暗渠パイプ引出口３４と、パイプ湾曲部３６とを備えるものである。暗渠パイプ挿入口３２は、暗渠パイプ供給ボックス２２上面の前部（掘削部２０に近い位置）に形成されている。暗渠パイプ引出口３４は、暗渠パイプ供給ボックス２２背面の最下部（最下部から引き出された暗渠パイプ１４は掘削溝２４に敷設される。）に形成されている。
【００１６】
パイプ湾曲部３６は、暗渠パイプ挿入口３２から挿入され暗渠パイプ引出口３４から引き出される暗渠パイプ供給ボックス２２内の暗渠パイプ１４を湾曲させ、暗渠パイプ挿入口３２や暗渠パイプ引出口３４における暗渠パイプ１４の折れ曲がり状態を解消するものである（図２）。
図２のパイプ湾曲部３６は、暗渠パイプ挿入口３２と暗渠パイプ引出口３４を繋ぐように設けられている、暗渠パイプ供給ボックス２２内を２つに仕切る仕切り板である。パイプ湾曲部３６は、暗渠パイプ挿入口３２と暗渠パイプ引出口３４との間に略円弧状に形成されている。暗渠パイプ挿入口３２から挿入された暗渠パイプ１４は、パイプ湾曲部３６に接触すると、湾曲する。同時に、暗渠パイプ挿入口３２や暗渠パイプ引出口３４における暗渠パイプ１４の折れ曲がり状態を解消する。
パイプ湾曲部３６が無い場合、暗渠パイプ１４は、暗渠パイプ挿入口３２から暗渠パイプ引出し口３４まで直線状に伸び、暗渠パイプ挿入口３２や暗渠パイプ引出し口３４において折れ曲がる（図３）。この折れ曲がった状態で暗渠パイプ１４が引き出されると、暗渠パイプ１４が破損する。パイプ湾曲部３６を設けることにより、図３において暗渠パイプ挿入口３２から暗渠パイプ引出し口３４まで直線状に引っ張られる暗渠パイプ１４が、パイプ湾曲部３６に接触して湾曲する。これにより、暗渠パイプ挿入口３２や暗渠パイプ引出口３４における暗渠パイプ１４の折れ曲がり状態は発生しない。すなわち、暗渠パイプ１４の折れ曲がり状態を解消することができる。
なお、パイプ湾曲部３６の形態は、上記形態又は湾曲手段に限定されるものではない。暗渠パイプ挿入口３２から挿入された暗渠パイプ１４が、パイプ湾曲部３６に接触することで湾曲するような形態又は湾曲手段であれば足りる。また、暗渠パイプ供給ボックス２２内において湾曲する暗渠パイプ１４の曲げ半径が、暗渠パイプ１４の許容曲げ半径より小さくならないように設定されているものとする。
【００１７】
上記構成により、暗渠パイプ供給ボックス２２内に挿入される暗渠パイプ１４は、暗渠形成装置１０の走行時に、暗渠パイプ供給ボックス２２内で弧を描いて曲がり（図２）、掘削部２０により圃場１２に形成される掘削溝２４に敷設され埋設される（図２、図４）。挿入される暗渠パイプ１４は、挿入口３２及び引出し口３４において折れ曲がることはなく、暗渠パイプ１４が破損する（例えば、裂ける）ことはない。これにより、暗渠パイプ１４を波打つことなく敷設・埋設させることができるから、暗渠１６の排水機能の低下を防止することができる。また、大きい口径の暗渠パイプ１４を用いた暗渠１６を形成することができる。
なお、本実施例の暗渠パイプ供給ボックス２２は、下部を開放しているが（図４（ｂ））、閉じているものであってもよい。
【００１８】
暗渠パイプ供給ボックス２２において、暗渠パイプ引出し口３４から引き出される暗渠パイプ１４に上方から当接するパイプ敷設部３８を設ける。
パイプ敷設部３８は、暗渠パイプ引出し口３４から掘削溝２４に引き出される暗渠パイプ１４を掘削溝２４に確実に敷設するものである。掘削溝２４に敷設される暗渠パイプ１４は、疎水材２６によって掘削溝２４に埋設される（図２及び図４）。
なお、暗渠パイプ供給ボックス２２の下部が閉じている場合は、暗渠パイプ供給ボックス２２の側面とパイプ敷設部３８により形成される筒状の空間（すなわち暗渠パイプ引出し口３４）は、暗渠パイプ１４を引き出すことができる十分な広さを有するものとする。
【００１９】
暗渠パイプ挿入口３２の上方に、暗渠パイプ挿入口３２に連通する筒状の土除け部４０を設けてもよい。土除け部４０は、暗渠形成装置１０（又は掘削部２０）の進行により圃場１２の地表に盛り上がる土１２ａが暗渠パイプ挿入口３２から暗渠パイプ供給ボックス２２内に入り込ことを防止するものである。これにより、地表に盛り上がる土１２ａが暗渠パイプ供給ボックス２２を通じて掘削溝２４に敷かれることにより生じる暗渠パイプ１４の波打ちを防止することができ、暗渠１６の排水機能の低下を確実に防止することができる。
【符号の説明】
【００２０】
１０  暗渠形成装置
１２  圃場
１４  暗渠パイプ
１６  暗渠
２０  掘削部
２２  暗渠パイプ供給ボックス
２４  掘削溝
２６  疎水材
２８  疎水材供給部
３２  暗渠パイプ挿入口
３４  暗渠パイプ引出口
３６  パイプ湾曲部
３８  パイプ敷設部
４０  土よけ部
【図１】
2020180529.tif 000003
【図２】
2020180529.tif 000004
【図３】
2020180529.tif 000005
【図４】
2020180529.tif 000006